(57)【要約】      （修正有）【課題】紙ＵＩを用い、原稿の設置方向や綴じ方向を意識することなく各頁の画像に適切な天地が与えられた両面読取画像情報を取得可能にする。【解決手段】読取部１１は、両面原稿を、両面に各々該当する面の画像の方向を指示する原稿向きマークが記述され、少なくとも一方の面には指示書マークが記述された指示書原稿と組み合わせて該各原稿の両面の画像をスキャンし、該両面スキャンデータを記憶部１３に記憶する。画像方向補正部１６４２は、記憶された両面スキャンデータ中の、指示書マーク検出部１６３１により指示書マークが検出された頁から指示書原稿として特定された２頁分を除く各頁のデータ中の奇数頁と偶数頁のデータを、原稿向きマーク検出部１６３２より検出された指示書原稿の奇数頁と偶数頁それぞれの原稿向きマークが示す方向にそれぞれ回転補正する。【選択図】図１
2011082664.tif 000002
【特許請求の範囲】
【請求項１】
両面に画像が形成された両面原稿を、両面に各々該当する面の画像の方向を指示する方向指示情報が記述され、少なくとも一方の面には指示書識別情報が記述された指示書原稿と組み合わせて該原稿の両面の画像を読み取る画像読取手段と、
前記画像読取手段により読み取られた前記原稿の両面読取画像情報から前記指示書識別情報を検出する識別情報検出手段と、
前記両面読取画像情報の前記識別情報検出手段により検出された前記指示書識別情報を含む頁から特定される前記指示書原稿の奇数頁と偶数頁にそれぞれ含まれる前記方向指示情報が指示する画像の方向を検出する方向指示情報検出手段と、
前記両面読取画像情報の前記指示書原稿として特定された２頁分を除く各頁の画像情報中の奇数頁と偶数頁の画像情報を、前記方向指示情報検出手段により検出された前記指示書原稿の奇数頁と偶数頁それぞれの前記方向指示情報が示す方向にそれぞれ回転補正する回転補正手段と
を具備する画像処理装置。
【請求項２】
前記識別情報検出手段により検出された前記指示書識別情報を含む頁が前記両面読取画像情報の最初の頁か最終頁かを判定する判定手段と、
前記判定手段により前記指示書識別情報を含む頁が前記両面読取画像情報の最終頁であると判定された場合、前記指示書識別情報を含む頁が最初の頁となるように前記両面読取画像情報の各頁の頁順番を変更する頁順番変更手段と
を具備する請求項１記載の画像処理装置。
【請求項３】
前記両面読取画像情報から前記指示書原稿に相当する前記２頁分の画像情報を削除し、残りの、前記回転補正手段により回転補正された前記各頁の画像情報を前記両面原稿の両面読取画像情報として保持する保持手段
を具備する請求項１または２記載の画像処理装置。
【請求項４】
両面に画像が形成された両面原稿の両面の画像を読み取る画像読取手段と、
前記画像読取手段により読み取られた前記両面原稿の両面読取画像情報に基づき、該両面読取画像情報を識別する識別情報と、該両面読取画像情報の複数の頁の縮小画像と、前記各頁の縮小画像に対する画像の回転を含む編集を指示する指示項目とを有する指示書原稿情報を生成する情報生成手段と、
前記指示書原稿情報に基づき、前記識別情報、前記縮小画像及び前記指示項目が印字された指示書原稿を出力する出力手段と、
前記画像読取手段により読取られる前記指示書原稿の読取画像情報から前記識別情報と、利用者により実行を指示する印が印された指示項目を抽出する抽出手段と、
前記抽出手段により抽出された前記識別情報で識別される前記両面読取画像情報に対し、利用者により前記印が印された前記指示項目が指示する編集処理を施す編集処理手段と
を具備する画像処理装置。
【請求項５】
前記情報生成手段は、
奇数頁と偶数頁の前記縮小画像にそれぞれ対応して設けられ、各々異なる回転方向への回転を指示する複数の回転指示項目を有する前記指示書原稿情報を生成し、
前記編集処理手段は、
前記指示書原稿情報に基づく出力された前記指示書原稿の読取画像情報から前記抽出手段により前記印が印された指示項目として前記回転指示項目が抽出された場合、該回転指示項目が対応付けられている前記奇数頁または偶数頁の縮小画像に相当する画像を当該回転指示項目が指示する方向に回転する
請求項４記載の画像処理装置。
【請求項６】
前記情報生成手段は、
前記編集処理手段による画像編集処理が終了すると、該画像編集処理後の前記両面読取画像情報に基づいて前記指示書原稿情報を生成し、
前記出力手段は、
前記生成された指示書原稿情報に基づき前記指示書原稿を出力する
請求項４または５記載の画像処理装置。
【請求項７】
前記情報生成手段は、
縮小画像の変更を指示する画像変更指示項目を有する前記指示書原稿情報を生成し、
前記指示書原稿情報に基づき出力された前記指示書原稿の読取画像情報から前記抽出手段により前記印が印された指示項目として前記画像変更指示項目が抽出された場合、前記両面読取画像情報中の前回生成した前記指示書原稿情報に含まれる頁とは異なる頁の縮小画像を含む前記指示書原稿情報を生成する
請求項６記載の画像処理装置。
【請求項８】
前記情報生成手段は、
縮小画像の表示の順番の変更を指示する表示順変更指示項目を有する前記指示書原稿情報を生成し、
前記指示書原稿情報に基づき出力された前記指示書原稿の読取画像情報から前記抽出手段により前記印が印された指示項目として前記表示順変更指示項目が抽出された場合、前記両面読取画像情報中の前回生成した前記指示書原稿情報に含まれる頁の縮小画像を逆の順番に配置した前記指示書原稿情報を生成する
請求項６記載の画像処理装置。
【請求項９】
情報生成禁止手段を更に有し、
前記情報生成手段は、
補正を必要とないことを指示する補正不要指示項目を有する前記指示書原稿情報を生成し、
前記情報生成禁止手段は、
前記指示書原稿情報に基づき出力された前記指示書原稿の読取画像情報から前記抽出手段により前記印が印された指示項目として前記補正不要指示項目が抽出された場合、前記指示書原稿情報の生成を禁止する
請求項４乃至８のいずれか記載の画像処理装置。
【請求項１０】
印刷制御手段を更に有し、
前記情報生成手段は、
印刷を指示する印刷指示項目を有する前記指示書原稿情報を生成し、
前記印刷制御手段は、
前記指示書原稿情報に基づき出力された前記指示書原稿の読取画像情報から前記抽出手段により前記印が印された指示項目として前記印刷指示項目が抽出された場合、該印刷指示項目と共に抽出された前記識別情報で識別される前記両面読取画像情報を印刷する
請求項４乃至９のいずれか記載の画像処理装置。
【請求項１１】
コンピュータで実現され、両面に画像が形成された両面原稿の両面の画像を読み取って画像処理する画像処理装置に実装され、
前記コンピュータを、
前記両面原稿を、両面に各々該当する面の画像の方向を指示する方向指示情報が記述され、少なくとも一方の面には指示書識別情報が記述された指示書原稿と組み合わせて該原稿の両面の画像を読み取る画像読取手段、
前記画像読取手段により読み取られた前記原稿の両面読取画像情報から前記指示書識別情報を検出する識別情報検出手段、
前記両面読取画像情報の前記識別情報検出手段により検出された前記指示書識別情報を含む頁から特定される前記指示書原稿の奇数頁と偶数頁にそれぞれ含まれる前記方向指示情報が指示する画像の方向を検出する方向指示情報検出手段、
前記両面読取画像情報の前記指示書原稿として特定された２頁分を除く各頁の画像情報中の奇数頁と偶数頁の画像情報を、前記方向指示情報検出手段により検出された前記指示書原稿の奇数頁と偶数頁それぞれの前記方向指示情報が示す方向にそれぞれ回転補正する回転補正手段
として機能させる画像処理プログラム。
【請求項１２】
コンピュータで実現され、両面に画像が形成された両面原稿の両面の画像を読み取る画像読取手段を備える画像処理装置に実装され、
前記コンピュータを、
前記画像読取手段により読み取られた前記両面原稿の両面読取画像情報に基づき、該両面読取画像情報を識別する識別情報と、該両面読取画像情報の複数の頁の縮小画像と、前記各頁の縮小画像に対する画像の回転を含む編集を指示する指示項目とを有する指示書原稿情報を生成する情報生成手段、
前記指示書原稿情報に基づき、前記識別情報、前記縮小画像及び前記指示項目が印字された指示書原稿を出力する出力手段、
前記画像読取手段により読取られる前記指示書原稿の読取画像情報から前記識別情報と、利用者により実行を指示する印が印された指示項目を抽出する抽出手段、
前記抽出手段により抽出された前記識別情報で識別される前記両面読取画像情報に対し、利用者により前記印が印された前記指示項目が指示する編集処理を施す編集処理手段
として機能させる画像処理プログラム。
【発明の詳細な説明】
【技術分野】
【０００１】
本発明は、画像処理装置、及び画像処理プログラムに関する。
【背景技術】
【０００２】
現在、多くのオフィス等で紙ドキュメントの電子データ化が推進されている。
【０００３】
このため、紙媒体に印刷された原稿を電子データ化したいという要求が増えており、効率的に原稿をスキャンする手段が必要となってきている。
【０００４】
特に、最近では、ＤＡＤＦ（Ｄｕａｌ  Ａｕｔｏｍａｔｉｃ  Ｄｏｃｕｍｅｎｔ  Ｆｅｅｄｅｒ：自動両面紙送り装置）を備えたスキャナ装置や複合機が一般的になり、両面原稿を電子化できるようになっているが、両面原稿は綴じ方向によりスキャンの天地が合わないなど、適切なスキャン画像を得ることが難しい。
【０００５】
ＤＡＤＦを用いて両面印刷された紙原稿をスキャンする方法として、下記特許文献１には、ＤＡＤＦから紙原稿をスキャン時に、セットした原稿の向き（原稿トレイの奥側を上にする／原稿トレイの左側を上にする）と、綴じ方向（長辺綴じ／短辺綴じ）を指定することにより適切なスキャン画像を取得する技術（画像読み取り装置及びその制御方法、画像処理装置及びその制御方法）が開示されている。
【０００６】
この方法の場合、紙原稿の綴じ方向を指定しなければならないが、一般ユーザには綴じ方向の概念が分かり難く、対応が困難となる。
【０００７】
また、ＵＩ（ユーザ・インタフェース）で設定した値に従がって、ユーザが正しい原稿をＤＡＤＦにセットしなくてはならず、正しく原稿をセットするためには原稿の上下左右方向、表裏を正確に考慮する必要がある。
【０００８】
また、下記特許文献２には、スキャンしたスキャン画像をプレビューに表示し、ユーザはプレビュー画面を見ながら回転を指示する技術が開示されている。
【０００９】
この技術では、プレビューを表示して原稿の上下方向を指示するためには、高精細な（原稿の向きが判断可能な高い解像度を持つ）液晶パネル等、リッチなＵＩデバイスが必要となり、低価格な複合機等では実装が難しい。
【００１０】
また、下記特許文献３には、両面原稿のスキャン時に原稿の向きや綴じしろの位置を判定して、スキャンした原稿が正しく両面印刷できるようにする技術が開示されている。
【００１１】
この場合、原稿の向きの検出が困難であったり、綴じしろが付いていない原稿の場合に対応できなかった。
【先行技術文献】
【特許文献】
【００１２】
【特許文献１】特開２００３−３３３３０９号公報
【特許文献２】特開２００７−２００２８０号公報
【特許文献３】特開平７−３１１８４０号公報
【発明の概要】
【発明が解決しようとする課題】
【００１３】
本発明は、紙ＵＩを用い、原稿の設置方向や綴じ方向を意識することなく各頁の画像に適切な天地が与えられた両面読取画像情報を取得可能な画像処理装置、及び画像処理プログラムを提供することを目的とする。
【課題を解決するための手段】
【００１４】
上記目的を達成するために、請求項１記載の画像処理装置の発明は、両面に画像が形成された両面原稿を、両面に各々該当する面の画像の方向を指示する方向指示情報が記述され、少なくとも一方の面には指示書識別情報が記述された指示書原稿と組み合わせて該原稿の両面の画像を読み取る画像読取手段と、前記画像読取手段により読み取られた前記原稿の両面読取画像情報から前記指示書識別情報を検出する識別情報検出手段と、前記両面読取画像情報の前記識別情報検出手段により検出された前記指示書識別情報を含む頁から特定される前記指示書原稿の奇数頁と偶数頁にそれぞれ含まれる前記方向指示情報が指示する画像の方向を検出する方向指示情報検出手段と、前記両面読取画像情報の前記指示書原稿として特定された２頁分を除く各頁の画像情報中の奇数頁と偶数頁の画像情報を、前記方向指示情報検出手段により検出された前記指示書原稿の奇数頁と偶数頁それぞれの前記方向指示情報が示す方向にそれぞれ回転補正する回転補正手段とを具備する。
【００１５】
請求項２記載の発明は、上記請求項１記載の発明において、前記識別情報検出手段により検出された前記指示書識別情報を含む頁が前記両面読取画像情報の最初の頁か最終頁かを判定する判定手段と、前記判定手段により前記指示書識別情報を含む頁が前記両面読取画像情報の最終頁であると判定された場合、前記指示書識別情報を含む頁が最初の頁となるように前記両面読取画像情報の各頁の頁順番を変更する頁順番変更手段とを具備する。
【００１６】
請求項３記載の発明は、上記請求項１または２記載の発明において、前記両面読取画像情報から前記指示書原稿に相当する前記２頁分の画像情報を削除し、残りの、前記回転補正手段により回転補正された前記各頁の画像情報を前記両面原稿の両面読取画像情報として保持する保持手段を具備する。
【００１７】
請求項４記載の画像処理装置の発明は、両面に画像が形成された両面原稿の両面の画像を読み取る画像読取手段と、前記画像読取手段により読み取られた前記両面原稿の両面読取画像情報に基づき、該両面読取画像情報を識別する識別情報と、該両面読取画像情報の複数の頁の縮小画像と、前記各頁の縮小画像に対する画像の回転を含む編集を指示する指示項目とを有する指示書原稿情報を生成する情報生成手段と、前記指示書原稿情報に基づき、前記識別情報、前記縮小画像及び前記指示項目が印字された指示書原稿を出力する出力手段と、前記画像読取手段により読取られる前記指示書原稿の読取画像情報から前記識別情報と、利用者により実行を指示する印が印された指示項目を抽出する抽出手段と、前記抽出手段により抽出された前記識別情報で識別される前記両面読取画像情報に対し、利用者により前記印が印された前記指示項目が指示する編集処理を施す編集処理手段とを具備する。
【００１８】
請求項５記載の発明は、上記請求項４記載の発明において、前記情報生成手段は、奇数頁と偶数頁の前記縮小画像にそれぞれ対応して設けられ、各々異なる回転方向への回転を指示する複数の回転指示項目を有する前記指示書原稿情報を生成し、前記編集処理手段は、前記指示書原稿情報に基づく出力された前記指示書原稿の読取画像情報から前記抽出手段により前記印が印された指示項目として前記回転指示項目が抽出された場合、該回転指示項目が対応付けられている前記奇数頁または偶数頁の縮小画像に相当する画像を当該回転指示項目が指示する方向に回転する。
【００１９】
請求項６記載の発明は、上記請求項４または５記載の発明において、前記情報生成手段は、前記編集処理手段による画像編集処理が終了すると、該画像編集処理後の前記両面読取画像情報に基づいて前記指示書原稿情報を生成し、前記出力手段は、前記生成された指示書原稿情報に基づき前記指示書原稿を出力する。
【００２０】
請求項７記載の発明は、上記請求項６記載の発明において、前記情報生成手段は、縮小画像の変更を指示する画像変更指示項目を有する前記指示書原稿情報を生成し、前記指示書原稿情報に基づき出力された前記指示書原稿の読取画像情報から前記抽出手段により前記印が印された指示項目として前記画像変更指示項目が抽出された場合、前記両面読取画像情報中の前回生成した前記指示書原稿情報に含まれる頁とは異なる頁の縮小画像を含む前記指示書原稿情報を生成する。
【００２１】
請求項８記載の発明は、上記請求項６記載の発明において、前記情報生成手段は、縮小画像の表示の順番の変更を指示する表示順変更指示項目を有する前記指示書原稿情報を生成し、前記指示書原稿情報に基づき出力された前記指示書原稿の読取画像情報から前記抽出手段により前記印が印された指示項目として前記表示順変更指示項目が抽出された場合、前記両面読取画像情報中の前回生成した前記指示書原稿情報に含まれる頁の縮小画像を逆の順番に配置した前記指示書原稿情報を生成する。
【００２２】
請求項９記載の発明は、上記請求項４乃至８のいずれか記載の発明において、情報生成禁止手段を更に有し、前記情報生成手段は、補正を必要とないことを指示する補正不要指示項目を有する前記指示書原稿情報を生成し、前記情報生成禁止手段は、前記指示書原稿情報に基づき出力された前記指示書原稿の読取画像情報から前記抽出手段により前記印が印された指示項目として前記補正不要指示項目が抽出された場合、前記指示書原稿情報の生成を禁止する。
【００２３】
請求項１０記載の発明は、上記請求項４乃至９のいずれか記載の発明において、印刷制御手段を更に有し、前記情報生成手段は、印刷を指示する印刷指示項目を有する前記指示書原稿情報を生成し、前記印刷制御手段は、前記指示書原稿情報に基づき出力された前記指示書原稿の読取画像情報から前記抽出手段により前記印が印された指示項目として前記印刷指示項目が抽出された場合、該印刷指示項目と共に抽出された前記識別情報で識別される前記両面読取画像情報を印刷する。
【００２４】
請求項１１記載の画像処理プログラムの発明は、コンピュータで実現され、両面に画像が形成された両面原稿の両面の画像を読み取って画像処理する画像処理装置に実装され、前記コンピュータを、前記両面原稿を、両面に各々該当する面の画像の方向を指示する方向指示情報が記述され、少なくとも一方の面には指示書識別情報が記述された指示書原稿と組み合わせて該原稿の両面の画像を読み取る画像読取手段、前記画像読取手段により読み取られた前記原稿の両面読取画像情報から前記指示書識別情報を検出する識別情報検出手段、前記両面読取画像情報の前記識別情報検出手段により検出された前記指示書識別情報を含む頁から特定される前記指示書原稿の奇数頁と偶数頁にそれぞれ含まれる前記方向指示情報が指示する画像の方向を検出する方向指示情報検出手段、前記両面読取画像情報の前記指示書原稿として特定された２頁分を除く各頁の画像情報中の奇数頁と偶数頁の画像情報を、前記方向指示情報検出手段により検出された前記指示書原稿の奇数頁と偶数頁それぞれの前記方向指示情報が示す方向にそれぞれ回転補正する回転補正手段として機能させる。
【００２５】
請求項１２記載の画像処理プログラムの発明は、コンピュータで実現され、両面に画像が形成された両面原稿の両面の画像を読み取る画像読取手段を備える画像処理装置に実装され、前記コンピュータを、前記画像読取手段により読み取られた前記両面原稿の両面読取画像情報に基づき、該両面読取画像情報を識別する識別情報と、該両面読取画像情報の複数の頁の縮小画像と、前記各頁の縮小画像に対する画像の回転を含む編集を指示する指示項目とを有する指示書原稿情報を生成する情報生成手段、前記指示書原稿情報に基づき、前記識別情報、前記縮小画像及び前記指示項目が印字された指示書原稿を出力する出力手段、前記画像読取手段により読取られる前記指示書原稿の読取画像情報から前記識別情報と、利用者により実行を指示する印が印された指示項目を抽出する抽出手段、前記抽出手段により抽出された前記識別情報で識別される前記両面読取画像情報に対し、利用者により前記印が印された前記指示項目が指示する編集処理を施す編集処理手段として機能させる。
【発明の効果】
【００２６】
請求項１記載の画像処理装置の発明によれば、紙ＵＩにより、利用者にスキャン原稿の設置方向や綴じ方向を意識させることなく各頁の画像に適切な天地が与えられた両面スキャンデータを得ることができる。
【００２７】
請求項２記載の発明によれば、上記請求項１記載の発明において、指示書がスキャン原稿の最初または最後のいずれにセットされても各頁の画像の向きを正しく補正できる。
【００２８】
請求項３記載の発明によれば、上記請求項１または２記載の発明において、画像の向きが補正された編集後の両面スキャンデータをファイルとして出力できる。
【００２９】
請求項４記載の画像処理装置の発明によれば、両面原稿を複写または両面スキャンする場合、安価な紙ＵＩを用いてスキャン原稿の向きや順番を容易に修正できる。
【００３０】
請求項５記載の発明は、上記請求項４記載の発明において、チェックシート上のサムネイル画像を見ながら必要に応じてスキャン原稿の向きを修正できる。
【００３１】
請求項６記載の発明は、上記請求項４または５記載の発明において、チェックシートの指示通りに修正されているかを簡単に確認できる。
【００３２】
請求項７記載の発明は、上記請求項６記載の発明において、サムネイル画像を別の頁のサムネイル画像に変えて頁の向き等を正しく判断できる。
【００３３】
請求項８記載の発明は、上記請求項６記載の発明において、チェックシート上で頁を入れ換えてサムネイル画像を確認できる。
【００３４】
請求項９記載の発明は、上記請求項４乃至８のいずれか記載の発明において、修正が不要な場合にチェックシートを出力せずに済む。
【００３５】
請求項１０記載の発明は、上記請求項４乃至９のいずれか記載の発明において、チェックシートの指示通りに修正されていることを確認したうえで印刷できる。
【００３６】
請求項１１記載の画像処理プログラムの発明によれば、利用者にスキャン原稿の設置方向や綴じ方向を意識させず、画像処理装置に、各頁の画像に適切な天地が与えられた両面スキャンデータを得る両面スキャン動作を実行させることができる。
【００３７】
請求項１２記載の画像処理プログラムの発明によれば、安価な紙ＵＩを用いて、画像処理装置に、両面原稿の複写または両面スキャン時のスキャン原稿の向きや順番の修正動作を実行させることができる。
【図面の簡単な説明】
【００３８】
【図１】本実施の形態に係わる画像処理装置の機能構成を示すブロック図。
【図２】両面スキャン原稿の例を示す図。
【図３】両面スキャン原稿のＤＡＤＦへのセットパターンの例を示す図。
【図４】実施例１で用いる指示書原稿の構成例を示す図。
【図５】実施例１に係る画像処理装置の両面スキャン処理動作を示すフローチャート。
【図６】実施例１に係わる両面スキャン処理イメージを示す概念図。
【図７】図６の処理で得られる両面スキャンデータとその補正データの例を示す図。
【図８】実施例１で用いる別の指示書原稿の構成例を示す図。
【図９】実施例２に係る画像処理装置の機能構成を示すブロック図。
【図１０】実施例２における両面原稿の両面スキャン処理イメージを示す概念図。
【図１１】実施例２での別のタイプの両面原稿の両面スキャン処理イメージを示す概念図。
【図１２】実施例２に係る画像処理装置の両面スキャン処理動作を示すフローチャート。
【図１３】図１２におけるステップＳ２２３以降の処理動作を示すフローチャート。
【図１４】縦長短辺綴じ原稿の両面スキャンデータとその補正データの例を示す図。
【図１５】図１４のデータ補正の指示に用いるチェックシートの構成例を示す図。
【図１６】図１５におけるチェックシートのチェック結果を示す図。
【図１７】図１６のチェック結果による補正後データに基づくチェックシート例を示す図。
【図１８】横長長辺綴じ原稿の両面スキャンデータとその補正データの例を示す図。
【図１９】図１８のデータ補正の指示に用いるチェックシートの構成例を示す図。
【図２０】図１９におけるチェックシートのチェック結果を示す図。
【図２１】図２０のチェック結果による補正後データに基づくチェックシート例を示す図。
【発明を実施するための形態】
【００３９】
以下、本発明の実施の形態について添付図面を参照して詳細に説明する。
【００４０】
図１は、本実施の形態に係わる画像処理装置１０の機能構成を示すブロック図である。
【００４１】
この画像処理装置１０は、例えば、原稿読取（スキャン）、複写（コピー）、印刷（プリント）、ＦＡＸ（ファクシミリ通信）等の複数の機能を有する複合機であり、原稿（紙文書）の画像を読取走査（スキャン）し、電気的な画像信号（画像データ）に変換する読取部１１、読取部１１により原稿をスキャンして得られた読取画像データ（スキャンデータ）や、クライアント端末（不図示）から送られてくる印刷ジョブから印刷データを生成するための画像処理を行う画像処理部１２、スキャンデータや動作プログラム等の各種情報を記憶する記憶部１３、画像処理部１２により生成された印刷データに基づき電子写真プロセスを実行して記録媒体（記録用紙）に該印刷データに対応する画像を形成する画像形成部１４、タッチパネル機能を有する大型ビットマップディスプレイ等から成る表示／操作部１５、スキャン、コピー、プリント及びＦＡＸ等の各機能に係わる該当各部の動作制御等、装置全体の制御を行なう制御部１６、クライアント端末（ＰＣ：パーソナル・コンピュータ）等の装置と通信ネットワーク（ＮＷ）を介して通信する際の通信インタフェースを司る通信インタフェース（Ｉ／Ｆ）部１７を備えて構成される。
【００４２】
この画像処理装置１０に用いられる読取部１１は、シートフィーダ型スキャナであり、特に、ＤＡＤＦ（Ｄｕａｌ  Ａｕｔｏｍａｔｉｃ  Ｄｏｃｕｍｅｎｔ  Ｆｅｅｄｅｒ：自動両面紙送り装置）を用いて構成される。
【００４３】
ＤＡＤＦを備える読取部１１では、例えば、原稿セット位置にセットされた原稿を該原稿セット位置からプラテン上の所定の読取位置まで搬送して該原稿の一方の面（表面）の画像を読取走査した後、該原稿を更に搬送して反転させた後に再度上記読取位置まで送り返し、該原稿のもう一方の面（裏面）を両面スキャンすることが可能となる。
【００４４】
読取部１１での原稿の両面スキャンに係る原稿の搬送、読取センサの駆動等の読取制御は、制御部１６に設けられる読取制御部１６２によって行われる。
【００４５】
ＤＡＤＦを備える読取部１１での両面スキャンの対象とされる原稿としては、例えば、図２（ａ）に示すポートレイト（縦長原稿）の短辺綴じの原稿５１ａ、図２（ｂ）に示すポートレイトの長辺綴じの原稿５１ｂ、図２（ｃ）に示すランドスケープ（横長原稿）の長辺綴じの原稿５１ｃ、図２（ｄ）に示すランドスケープの短辺綴じの原稿５１ｄ等の両面原稿（両面に画像が形成される）がある。
【００４６】
また、図２に示す各種別の両面原稿５１（５１ａ，５１ｂ，５１ｃ，５１ｄ）の両面スキャンに際してのＤＡＤＦの原稿セット位置に対する原稿セットパターンとしては、図３に示すような各パターンがある。
【００４７】
図３（ａ）は、複数枚一揃いとする両面原稿５１を利用者（ユーザ）から見て最上部の原稿画像が正立した状態となる向きにしてセットした例であり、図３（ｂ）は、両面原稿５１を図３（ａ）に示す向きに対して逆さまになる状態で（１８０度回転させて）セットした例であり、図３（ｃ）は、両面原稿５１を図３（ａ）に示す向きに対して右に９０度回転させてセットした例であり、図３（ｄ）は、両面原稿５１を図３（ａ）に示す向きに対して左に９０度回転させてセットした例である。
【００４８】
また、図３（ｅ），（ｆ），（ｇ），（ｈ）は、それぞれ、図３（ａ），（ｂ），（ｃ），（ｄ）のセット状態に対して、該当する各両面原稿５１を、逆の頁順となるように裏返した状態でセットした例を示している。
【００４９】
図２、図３に示すように、画像処理装置１０では、各種別の両面原稿５１（図２参照）を種々のパターン（図３参照）でＤＡＤＦのセット位置に受け入れ可能であることから、利用者による両面原稿５１のセットの仕方によっては、該両面原稿５１の両面スキャン後の画像データ（両面スキャンデータ）を所望の向きに回転補正する必要が生じる。
【００５０】
本実施の形態に係る画像処理装置１０では、両面原稿５１の両面スキャンデータに対して頁毎に紙ＵＩを用いてデータの回転方向等の指示を与え、該紙ＵＩでの指示に基づいて両面スキャンデータ中の該当する頁のデータを回転補正する等の画像編集を行う処理機能を有する。
【００５１】
以下、本実施の形態に係る紙ＵＩを用いた画像編集処理機能について、具体的な実施例を挙げて詳しく説明していく。
【実施例１】
【００５２】
図４は、実施例１において上述した紙ＵＩとして用いられる指示書原稿５０の構成を示す図である。
【００５３】
図４において、同図（ａ）は指示書原稿５０の表面の構成を示し、同図（ｂ）は指示書原稿５０の裏面の構成を示している。
【００５４】
図４に示すように、指示書原稿５０は、例えば、その表面に指示書であることを示す指示書マーク（この例では、星印）５０１と、当該面（表面）の画像の方向（向き）を示す原稿向きマーク５０２が記述されている（利用者により描かれる）。
【００５５】
また、上記指示書原稿５０の裏面には、当該面（裏面）の画像の方向を示す原稿向きマーク５０３が記述されている。
【００５６】
この例の指示書原稿５０では、原稿向きマーク５０２、５０３としては矢印の画像が用いられ、当該矢印の向きが当該面（原稿）の向きを指している。
【００５７】
本実施例において、図２に例示した指示書原稿５０は、両面スキャン対象の両面原稿５１と一揃いに揃えられてＤＡＤＦの原稿セット位置にセットされ、表示／操作部１５で所定の両面スキャン開始操作がなされると、読取制御部１６２の制御下で該セットされた両面原稿５１（指示書原稿５０を含む）の両面スキャンが行なわれる。
【００５８】
このように、スキャン原稿（両面原稿５１）と指示書原稿５０とを一揃いとする原稿の両面スキャン実現するため、本実施例に係る画像処理装置１０は、図１に示す機能ブロックによって構成される。
【００５９】
すなわち、本実施例の画像処理装置１０において、制御部１６には、読取部１１により原稿をスキャンして得られるスキャンデータ（あるいは、クライアント端末から通信Ｉ／Ｆ部１７を通じて受信される印刷ジョブ）に基づいて画像処理部１２で印刷データを生成させ、画像形成部１４で該印刷データに基づく画像を記録用紙に形成（印刷）して出力させる印刷制御部１６１、ＤＡＤＦを備える読取部１１を駆動制御し、両面スキャン対象の両面原稿５１と共に上述した紙ＵＩとして用いる指示書原稿５０（図２参照）を一緒に両面スキャンする読取制御を行う読取制御部１６２の他、指示書解析部１６３、原稿編集部１６４が設けられる。
【００６０】
指示書解析部１６３は、両面原稿５１に指示書原稿５０が付加された複数の原稿を読取部１１で両面スキャンして得られる両面スキャンデータから指示書マーク５０１を検出する指示書マーク検出部１６３１と、上記両面スキャンデータ中の指示書マーク検出部１６３１により検出された指示書マークを含む頁から特定される指示書原稿５０の奇数頁（表面に相当する頁）と偶数頁（裏面に相当する頁）にそれぞれ含まれる原稿向きマーク５０２，５０３が示す画像の方向を検出する原稿向きマーク検出部１６３２とにより構成される。
【００６１】
原稿編集部１６４は、読取部１１で得られる上記両面スキャンデータ中、指示書マーク検出部１６３１により検出された指示書マーク５０１を含む頁が該両面スキャンデータの最初の頁か最終頁かを判定し、該判定結果に応じて、該両面スキャンデータの各頁の頁順番を変更する頁順序変更処理部１６４１と、上記両面スキャンデータから指示書原稿５０の両面スキャンデータ以外のデータ（両面原稿５１の両面スキャンデータ）を分別抽出すると共に、該両面スキャンデータ中の、指示書マーク検出部１６３１により指示書マーク５０１が検出された頁から指示書原稿５０として特定された２頁分を除く各頁のデータ中の奇数頁と偶数頁のデータを、原稿向きマーク検出部１６３２より検出された指示書原稿５０の奇数頁と偶数頁それぞれの原稿向きマーク５０２，５０３が示す方向にそれぞれ回転補正する画像方向補正部１６４２とにより構成される。
【００６２】
次に、本実施例に係る画像処理装置１０における理動作について説明する。
【００６３】
図５は、本実施例に係る画像処理装置１０の両面スキャン処理動作を示すフローチャートである。
【００６４】
画像処理装置１０で両面原稿５１の両面スキャンを行うに際し、まず、利用者は、例えば、該両面原稿５１と同サイズの白紙の用紙を用意し、どの種別のどの綴じ方の両面原稿５１（図２参照）を両面スキャンするかに応じて、当該白紙の用紙の一方の面に指示書マーク５０１を描き込む（記述する）と共に、該指示書マーク５０１を描き込んだ面を表面として、更に、表面と裏面のそれぞれに該当する面の原稿（画像）の向きを表す原稿向きマーク（矢印）５０２，５０３を記述して指示書原稿５０を作成する。
【００６５】
次に、利用者は、読取部１１を構成するＤＡＤＦの原稿セット位置にスキャン対象の両面原稿５１と上述の如くの指示内容を盛り込んで作成した指示書原稿５０（図４参照）とを一緒に揃えてセットし、両面スキャン開始操作を行う。
【００６６】
ここで、利用者は、上記指示書原稿５０を他のスキャン原稿（両面原稿５１）の最初の頁、若しくは最終頁として付加することにより全原稿のセットを行うことができる。
【００６７】
一方、画像処理装置１０では、待機中、ＤＡＤＦに原稿がセットされた状態で両面スキャン開始操作が行われたか否かを監視している（ステップＳ１０１）。
【００６８】
ここで、両面スキャン開始操作が行われた場合（ステップＳ１０１ＹＥＳ）、読取制御部１６２は、読取部１１のＤＡＤＦを駆動してセット中の各原稿（両面原稿５１と指示書原稿５０）を順に表面と裏面とが読取位置を通過するように搬送しながら読取センサ（不図示）を駆動して該原稿の両面の画像をスキャンする動作制御を、最後の原稿の両面スキャンが終了するまで継続して実施する（ステップＳ１０２）。
【００６９】
上記ステップＳ１０２で全ての原稿（両面原稿５１と指示書原稿５０）を両面スキャンして得られる両面スキャンデータは記憶部１３の所定の領域に蓄積される（ステップＳ１０３）。
【００７０】
上記両面スキャンデータの記憶部１３への蓄積が完了すると、指示書解析部１６３は、該両面スキャンデータを指示書マーク検出部１６３１に転送し（ステップＳ１０４）、指示書マーク検出部１６３１は、該両面スキャンデータを取り込んで各頁毎に順次画像解析して指示書マーク５０１が存在するか否かをチェックする指示書マーク検出処理を行う（ステップＳ１０５）。
【００７１】
ここで、指示書マーク５０１が存在しない（検出されなかった）場合（ステップＳ１０５ＮＯ）、原稿編集部１６４は、記憶部１３に蓄積している両面スキャンデータをＤＡＤＦにセットされた両面原稿５１の両面スキャンデータとして図示しないファイル出力部に送り、該両面スキャンデータを両面スキャン結果（電子文書：ファイル）として保持させた後、該結果をファイル出力させる（ステップＳ１１４）。
【００７２】
これに対し、指示書マーク５０１が存在した（検出された）場合（ステップＳ１０５ＹＥＳ）、指示書マーク検出部１６３１は当該指示書マーク５０１が検出された（含まれる）頁が両面スキャンデータの最終頁か否かをチェックする（ステップＳ１０６）。
【００７３】
ここで、指示書マーク５０１が含まれる頁が両面スキャンデータの最終頁でないと判定されると（ステップＳ１０６ＮＯ）、ステップＳ１０８の処理に進む。
【００７４】
これに対して、指示書マーク５０１が含まれる頁が両面スキャンデータの最終頁であると判定されると（ステップＳ１０６ＹＥＳ）、頁順序変更処理部１６４１は、記憶部１３に記憶されている当該両面スキャンデータの頁順を、指示書マーク５０１が検出された頁が最初の頁となるように（逆順になるように）変更し（ステップＳ１０７）、その後、ステップＳ１０８の処理に進む。
【００７５】
ステップＳ１０８に移行すると、指示書解析部１６３は、上記ステップＳ１０２での両面スキャンにより取り込まれた順番のままの頁順、あるいは、上記ステップＳ１０７で逆順に変更された頁順に両面スキャンデータを原稿向きマーク検出部１６３２に転送する（ステップＳ１０８）。
【００７６】
原稿向きマーク検出部１６３２は、該両面スキャンデータを取り込んで、指示書マーク検出部１６３２に指示書マーク５０１が検出された頁から指示書原稿５０に相当する隣接する２つの頁（先頭頁と次の頁）を特定するとともに、該特定した指示書原稿５０に相当する２つの頁（奇数頁と偶数頁）にそれぞれ含まれる原稿向きマーク５０２，５０３が指示する画像の方向を検出する処理を実行すると共に、該処理に際して上記原稿向きマーク５０２，５０３が検出されたか否かを判定する（ステップＳ１０９）。
【００７７】
ここで、原稿向きマーク５０２，５０３が検出された場合（ステップＳ１０９ＹＥＳ）、原稿編集部１６４は、記憶部１３に蓄積されている両面スキャンデータを画像方向補正部１６４１に転送する（ステップＳ１１０）。
【００７８】
画像方向補正部１６４１は、該両面スキャンデータを取込み、上記ステップ１０９で検出された指示書原稿５０の表面の頁の原稿向きマーク５０２が示す画像の向き（方向）、及び裏面の頁の原稿向きマーク５０３が示す画像の方向に基づいて、当該取り込んだ両面スキャンデータ中、指示書原稿５０以外の各原稿（両面原稿５１）の表面と裏面の画像の向きを補正する処理を行う（ステップＳ１１１、Ｓ１１２）。
【００７９】
具体的には、指示書原稿５０以外の各両面原稿５１の奇数頁の画像データについては指示書原稿５０の表面の原稿向きマーク５０２が示す画像の方向に回転操作し（ステップＳ１１１）、指示書原稿５０以外の各両面原稿５１の偶数頁の画像データのついては指示書原稿５０の裏面の原稿向きマーク５０３が示す画像の方向に回転操作する（ステップＳ１１２）。
【００８０】
上記ステップＳ１１１、Ｓ１１２で指示書原稿５０以外の両面原稿５１の各頁の画像の回転操作の処理が完了すると、ステップＳ１１３の処理に移行する。
【００８１】
また、上記ステップＳ１０９において、原稿向きマーク５０２，５０３が検出されなかった場合（ステップＳ１０９ＮＯ）は、上記ステップＳ１１０〜Ｓ１１２の処理を経由することなくステップＳ１１３の処理に移行する。
【００８２】
ステップＳ１１３に移行すると、原稿編集部１６４は、全ての両面スキャンデータから指示書原稿５０に相当する頁（先頭の２頁分）の画像データを削除する（ステップＳ１１３）。
【００８３】
次いで、残りの、指示書原稿５０以外の各両面原稿５１の両面スキャンデータをファイル出力部（不図示）に送り、該両面スキャンデータをＤＡＤＦに指示書原稿５０と共にセットされた両面原稿５１の両面スキャン結果として保持させた後、該結果をファイル出力させ（ステップＳ１１４）、その後、処理を終了する。
【００８４】
次に、図５における両面スキャン処理について具体的な原稿の例を挙げてより詳しく説明する。
【００８５】
図６は、本実施例の画像処理装置１０における両面スキャン処理イメージを示す概念図である。
【００８６】
図６によれば、ポートレイト型の短辺綴じの３枚の両面原稿５１〔図２（ａ）参照〕を両面スキャンする場合の処理イメージを示している。
【００８７】
ここで、１枚目の両面原稿５１−１としては、表面に画像“Ａ”が形成され、裏面に画像“Ｂ”が形成されるものを想定している。
【００８８】
また、２枚目の両面原稿５１−２は、表面に画像“Ｃ”が形成され、裏面に画像“Ｄ”が形成されるとともに、３枚の両面原稿５１−３は、表面に画像“Ｅ”が形成され、裏面に画像“Ｆ”が形成されるものであることを想定している。
【００８９】
上述した３枚の両面原稿５１−１，５１−２，５１−３〔図６（ａ）参照〕を両面スキャンする場合、利用者は、例えば、表面に指示書マーク５０１が形成され、かつ、矢印の向きが上方を指す（当該面に対応する画像を回転しないことを指示する）原稿向きマーク５０２が描かれ、裏面には、長辺を軸にして裏面にひっくり返した際に矢印の向きが下方を指す（当該面に対応する画像を１８０度回転することを示す）原稿向きマーク５０３が描かれた指示書原稿５０を作成し〔図６（ｂ）参照〕、該指示書原稿５０を上述した３枚の両面原稿５１−１，５１−２，５１−３の、例えば、１番上に重ねたうえで、図４（ａ）に示す態様でＤＡＤＦの読取位置にセットし両面スキャンを開始する〔図６（ｃ）参照〕。
【００９０】
この場合、指示書原稿５０と３枚の両面原稿５１−１，５１−２，５１−３の全原稿の両面スキャンが終了すると、図７（ａ）に示すような両面スキャンデータが得られる（図５のステップＳ１０３参照）。
【００９１】
ここで、両面スキャンデータ中、４頁目、６頁目及び８頁目の各画像は正常な向きの４頁目、６頁目及び８頁目の各画像に対して逆向きとなっている。
【００９２】
この両面スキャンデータに対する指示書解析部１６３での指示書解析結果から、１頁目の画像データから指示書マーク検出部１６３１により指示書マーク５０１が検出されて（図５のステップＳ１０５ＹＥＳ参照）、１頁目と２頁が指示書原稿５０に相当する画像データあることが特定されたうえで、１頁目と２頁目の画像データから原稿向きマーク５０２と５０３が原稿向きマーク検出部１６３２によりそれぞれ検出される結果（図５のステップＳ１０９ＹＥＳ参照）、指示書マーク５０１が検出され、かつ、原稿向きマーク５０２が検出された１頁目が指示書原稿５０の表面であり、原稿向きマーク５０３のみが検出された２頁目が当該指示書原稿５０の裏面であることが検出される。
【００９３】
上述した指示書マーク５０１及び原稿向きマーク５０２、５０３の検出結果が得られると、次いで、指示書原稿５０の表面であると判断された１頁目の画像データに基づき、原稿向きマーク検出部１６３２による当該表面の原稿向きマーク５０２の検出結果（矢印の向きが上方を指す）から面に対応する画像を回転しない指示であることが検出され、更に、指示書原稿５０の裏面であると判断された２頁目の画像データに基づき、原稿向きマーク検出部１６３２による当該裏面の原稿向きマーク５０３の検出結果（矢印の向きが下方を指す）から当該裏面での画像の向きを１８０度回転する指示であることが検出される。
【００９４】
引き続き、画像方向補正部１６４２によって、上記指示書原稿５０に相当する１、２頁の画像データを除く３頁目以降の画像データに対して、そのうちの奇数頁（３頁目、５頁目、７頁目）の画像が表面の画像の向きに合わせて維持され（図５のステップＳ１１１参照）、更に、偶数頁（４頁目、６頁目、８頁目）の画像が裏面の画像の向きに対して逆向きとなるように１８０度回転補正される（図５のステップＳ１１２参照）。
【００９５】
この画像の向き補正処理によって、図７（ａ）に示す如くの両面スキャンデータは、３頁目から８頁目の画像データが図７（ｂ）に示す如くのデータ内容に補正される。
【００９６】
更に、原稿編集部１６４は、上記回転補正後の３頁目から８頁目の画像データを残して、指示書原稿５０に相当する１、２頁目を削除して図７（ｃ）の示す如くのデータ内容を確定し、該内容確定後のデータを３枚の原稿５１−１，５１−２，５１−３の両面スキャンデータとしてファイル出力部に送る（図５のステップＳ１１３参照）。
【００９７】
なお、図５乃至図７においては、ポートレイト型の短辺綴じの両面原稿５１ａ〔図２（ａ）参照〕の両面スキャンについて述べたが、他の種別の両面原稿５１、例えば、ランドスケープ型の長編綴じの両面原稿５１ｃ〔図１１（ｃ）参照〕の両面スキャン時についても、例えば、図８に示す如く、両面に各々該当する面の画像の方向を指示する原稿向きマーク５０２，５０３が記述され、少なくとも一方の面には指示書マーク５０１が記述された指示書原稿５０ｃを用いることで、利用者は、複雑な短辺綴じ、長辺綴じの概念を知らなくても直観的に綴じ方向を画像処理装置１０に対して指示することができる。
【００９８】
また、本実施例によれば、利用者は、スキャン原稿をＤＡＤＦにセットする向きを考慮する必要がなく、どの方向、表裏にセットしても適切なスキャン画像を得ることができる。
【００９９】
また、コストの高い高精細なビットマップＵＩ表示手段を持つ必要がなく、安価の構成を実現できる。
【実施例２】
【０１００】
図９は、実施例２に係る画像処理装置１０Ｂの機能構成を示すブロック図であり、実施例１に係る画像処理装置１０（図１参照）と同等の機能を果たす機能部には同一の符号を付している。
【０１０１】
本実施例の画像処理装置１０Ｂにおいて、制御部１６ｂは、実施例１に係る画像処理装置１０と同等の印刷制御部１６１、読取制御部１６２の他、本実施例特有のファイルコード作成部１６５、チェックシート作成部１６６、及び原稿編集部１６７を設けて構成される。
【０１０２】
ファイルコード作成部１６５は、読取部１１により両面に画像が形成される両面原稿を両面スキャンして得られた両面スキャンデータを記憶部１３の所定領域に蓄積する際、該両面スキャンデータを識別するファイルコードを作成する。
【０１０３】
チェックシート作成部１６６は、記憶部１３に記憶された両面スキャンデータに基づき、該両面スキャンデータ内の、スキャンした原稿の頁順番が判断可能な複数の頁（例えば、１頁目と２頁目）の縮小画像（サムネイル画像）と、該各頁のサムネイル画像に対する画像の回転を含む編集の指示を行う複数の指示項目（チェック項目）と、上記ファイルコード作成部１６５により作成された両面スキャンデータ（ファイル）を識別するためのファイルコードを有するチェックシートデータ〔チェックシート（指示書原稿）の印刷内容情報〕を作成する。
【０１０４】
なお、チェックシート作成部１６６により作成されたチェックシートデータは、印刷制御部１６１の制御によって画像形成部１４によりチェックシート７０（図１５、図１９参照）として印刷出力される。
【０１０５】
印刷出力されたチェックシート７０は、利用者が、該チェックシート７０上の各チェック項目中の必要なチェック項目にチェックを入れた（該当するチェックボックスに“レ”点等の実行指示印を印す）後、画像処理装置１０Ｂの読取部１１で読取らせることで、該チェックされたチェック項目に対応する、例えば、画像の入れ換えや、回転等の編集を指示する紙ＵＩとして用いることができる。
【０１０６】
原稿編集部１６７は、利用者が所望のチェック項目にチェックを入れたチェックシート７０をプラテン上にセットしてスキャン開始操作を行うことにより読取部１１によって読取られる該チェックシート７０のスキャンデータを解析するチェックシート解析部１６７１と、該チェックシート解析部１６７１によるチェックシート７０のスキャンデータの解析結果に基づき利用者によりチェックされたチェック項目と上記ファイルコードを抽出すると共に、該抽出されたファイルコードで識別される両面スキャンデータを対象に、一緒に抽出された利用者によりチェックされたチェック項目が指示する編集処理を実行する編集処理部１６７２とにより構成される。
【０１０７】
なお、本実施例の画像処理装置１０Ｂでは、読取り対象の両面原稿として、例えば、ポートレイト（縦長原稿）の短辺あるいは長辺綴じ、ランドスケープ（横長原稿）の短辺あるいは長辺綴じ等の綴じ方で製本形態に綴じられる文書の見開き頁が想定される。
【０１０８】
上述した文書の見開き頁の読取りは、所望の見開き頁を開いてプラテン上にセットし（押し当て）、表示／操作部１５から両面スキャン開始操作を行うことにより起動できる。
【０１０９】
図１０及び図１１は、本実施例の画像処理装置１０Ｂにおける両面原稿の両面スキャン処理イメージを示す概念図である。
【０１１０】
図１０において、同図（ａ）は、ポートレイトの長辺綴じの両面原稿の両面スキャン処理イメージを示しており、同図（ｂ）は、ランドスケープの短辺綴じの両面原稿の両面スキャン処理イメージを示している。
【０１１１】
図１１において、同図（ａ）は、ポートレイトの短辺綴じの両面原稿の両面スキャン処理イメージを示しており、同図（ｂ）は、ランドスケープの長辺綴じの両面原稿の両面スキャン処理イメージを示している。
【０１１２】
図１０（ａ），（ｂ）、及び図１１（ａ），（ｂ）のいずれの両面スキャン処理についても、スキャン対象の見開き頁（両面原稿）を順にめくりながらプラテン上にセットして両面スキャンを実施し、各見開き頁の画像を２頁分の両面スキャンデータとして蓄積していくイメージを示している。
【０１１３】
図１０に示す処理イメージからも分かるように、ポートレイトの長辺綴じの両面原稿〔図１０（ａ）参照〕、及びランドスケープの短辺綴じの両面原稿〔図１０（ｂ）参照〕の場合、両面スキャンした原稿の全ての頁の向きが同じ向きになるため原稿の回転（該頁の画像の回転）処理は不要となる。
【０１１４】
一方、図１１に示す処理イメージによれば、ポートレイトの短編綴じの両面原稿〔図１１（ａ）参照〕、及びランドスケープの長編綴じの両面原稿〔図１１（ｂ）参照〕の場合、両面スキャンした原稿が１頁おきに原稿（画像）の向きが逆になってしまうため、原稿の回転（該頁の画像の回転）処理が必要となる。
【０１１５】
次に、図１１に示すポートレイトの短編綴じの両面原稿〔図１１（ａ）参照〕、ランドスケープの長編綴じの両面原稿〔図１１（ｂ）参照〕を両面スキャンする場合を想定して本実施例に係わる両面スキャン処理動作について説明する。
【０１１６】
図１２は、本実施例の画像処理装置１０Ｂにおける両面原稿の両面スキャン処理動作を示すフローチャートである。
【０１１７】
画像処理装置１０Ｂに図１２に示す両面スキャンを実行させる場合、利用者は、両面スキャンモードを選択したうえで、両面スキャン対象の両面原稿（見開き頁）をプラテン上にセットしてスキャン開始を指示する操作を、読取対象の全ての両面原稿の両面スキャンが終わるまで、逐次、繰返して実施する。
【０１１８】
一方、画像処理装置１０Ｂでは、上述した利用者の両面スキャン時の操作を前提に、待機中、読取制御部１６２は、両面スキャンモードが選択され、スキャン開始操作が行なわれると（ステップＳ２００ＹＥＳ）、読取部１１を駆動制御して、セットされている両面原稿を両面スキャンする（ステップＳ２０１）。
【０１１９】
その後、両面スキャンモードが終了したかどうかを監視し（ステップＳ２０２）、終了していない場合（ステップＳ２０２ＮＯ）、スキャン開始操作が行なわれる度に（ステップＳ２００ＹＥＳ）、セットされている両面原稿を両面スキャンする（ステップＳ２０１）。
【０１２０】
この間、両面スキャンモードが終了すると（ステップＳ２０２ＹＥＳ）、それまでの両面スキャンにより得た両面スキャンデータを記憶部１３の所定領域に蓄積する（ステップＳ２０３）。
【０１２１】
次に、制御部１６ｂは、記憶部１３に蓄積された両面スキャンデータをチェックシート解析部１６７１により解析させ、該解析結果に基づき、読取った原稿がチェックシートであるか否かをチェックする（ステップＳ２０４）。
【０１２２】
ここで、読取った原稿がチェックシートではないと判定されると（ステップＳ２０４ＮＯ）、チェックシート作成部１６６は、記憶部１３に蓄積されている両面スキャンデータ中の例えば１頁目と２頁目のデータに基づき当該各頁のデータを縮小処理して各頁のサムナイル画像を作成する（ステップＳ２０５）。
【０１２３】
次いで、チェックシート作成部１６６は、上述した１頁目と２頁目のサムネイル画像と、該各頁のサムネイル画像を回転させることを指示する項目（指示項目）を含む複数のチェック項目の情報と、ファイルコード作成部１６５が作成した上記ステップＳ２０３で蓄積された両面スキャンデータを識別するファイルコードの情報を適宜な位置に配置したチェックシートのデータを生成する（ステップＳ２０６）。
【０１２４】
そして、印刷制御部１６１は、画像処理部１２に上記チェックシートデータに基づき印刷データを生成させ、画像形成部１４に当該印刷データに基づき電子写真プロセスを実行させてチェックシート７０を印刷出力させる（ステップＳ２０７）。
【０１２５】
ここで出力されるチェックシート７０は、図１５、図１９に例示するように、記憶部１３に蓄積した両面スキャンデータの複数頁のサムネイル画像７１，７２、該サムネイル画像７１，７２に対する回転操作を指示するチェック項目（７５１，７５２，７５３），（７７１，７７２，７７３）を含む各種編集指示用のチェック項目、当該両面スキャンデータを識別するファイルコード８５等が印字されたものである。
【０１２６】
これにより、利用者は、チェックシート７０上の、左右各頁のサムネイル画像の順序や向きを確認し、例えば、右側の頁のサムネイル画像７２を見て回転が必要と判断した際には該サムネイル画像７２に対する回転操作を指示するチェック項目、例えば、７７２のチェックボックスにチェックを入れることで当該頁の回転を指示することができる。
【０１２７】
同様に、“印刷”等、他のチェック項目についても該当するチェックボックスにチェックを入れることで、該チェック項目に対応する編集の指示を装置に対して行うことができる。
【０１２８】
チェックしたチェック項目に対応した編集の指示を画像処理装置１０Ｂに与えるには、利用者は、該チェック済みのチェックシート７０をプラテン上にセットし、スキャン開始の指示操作を行う。
【０１２９】
一方、画像処理装置１０Ｂでは、上記ステップＳ２０７でチェックシート７０を出力した後、スキャン開始の指示操作がなされたか否かを監視する（ステップＳ２０８）。
【０１３０】
ここで、スキャン開始操作が行われた場合（ステップＳ２０８ＹＥＳ）、読取部１１ではプラテン上にセットされているチェックシート７０をスキャンし（ステップＳ２０９）、該スキャンにより得られたチェックシートのスキャン画像データを記憶部１３の該当領域に蓄積する（ステップＳ２０３）。
【０１３１】
次いで、制御部１６ｂは、記憶部１３に蓄積されたチェックシート７０のスキャンデータをチェックシート解析部１６７１により解析させ、該解析結果に基づき、読取った原稿がチェックシートであるか否かをチェックする（ステップＳ２０４）。
【０１３２】
ここで、読取った原稿がチェックシートであると判定されると（ステップＳ２０４ＹＥＳ）、チェックシート解析部１６７１は、該チェックシートスキャンデータを解析し、予め登録されているチェックシートのフォーマットデータと比較する等の方法により当該チェックシートの内容が正しいか否かをチェックする（ステップＳ２１１）。
【０１３３】
ここで、チェックシートの内容が正しくないと判定されると（ステップＳ２１１ＮＯ）、表示／操作部１５の表示パネル上にメッセージを表示する等の方法により、利用者に対してチェックシート７０の内容が不正であることを通知する（ステップＳ２１２）。
【０１３４】
その後、印刷制御部１６１は、生成済みのチェックシートデータに基づいてチェックシート７０を再印刷させる（ステップＳ２０７）。
【０１３５】
これに対して、チェックシート７０の内容が正しいと判定された場合（ステップＳ２１１ＹＥＳ）、チェックシート解析部１６７１は、該チェックシート７０のスキャンデータの各チェック項目のチェック状況を解析し、編集処理部１６７２は、該解析結果から、両面スキャンデータの編集が必要であるか否かを判定する（ステップＳ２２１）。
【０１３６】
ここで、編集処理部１６７２は、利用者によりチェックされたチェック項目があるかどうかをチェックし、例えば、チェックシート７０上のサムネイル画像に対する回転操作を指示するチェック項目が利用者によりチェックされたチェック項目として抽出されるような場合に両面スキャンデータの編集が必要であると判定し（ステップＳ２２１ＹＥＳ）、上記チェックシート７０のスキャンデータから上述したチェック項目と一緒の抽出されたファイルコードで識別される両面スキャンデータを対象にして、利用者によりチェックされたチェック項目が指示する、各頁のデータの並び替えや、画像の回転等の編集処理を実行する（ステップＳ２２２）。
【０１３７】
この編集処理が終了すると、チェックシート作成部１６６は、該編集処理後の両面原稿スキャンデータに基づいて上述した各頁のサムネイル画像を作成し（ステップＳ２０５）、該各頁のサムネイル画像と上述した各チェック項目及びファイルコードを含むチェックシートデータを作成するとともに（ステップＳ２０６）、印刷制御部１６１は、該チェックシートデータに基づきチェックシートを印刷出力させる（ステップＳ２０７）。
【０１３８】
上記ステップＳ２２２での両面原稿スキャンデータの編集処理後に、再度、チェックシート７０を印刷するのは、前回のチェックシート７０での指示通りにデータ修正されたかどうかを確認するためである。
【０１３９】
新たに印刷されたチェックシート７０上で、もしまだ修正が必要な場合は、サイド、編集を要するチェック項目にチェックを行なったうえで該チェックシート７０をセットし、読取りの開始を指示する（この処理は、両面スキャンデータが正しく修正されるまで続ける）。
【０１４０】
読取制御部１６２では、利用者による上記読取り開始操作を認識し（ステップＳ２０８ＹＥＳ）、セットされているチェックシート７０をスキャンし（ステップＳ２０９）、該スキャンにより得たチェックシート７０のスキャンデータを記憶部１３に蓄積した後（ステップＳ２０３）、制御部１６ｂがチェックシート解析部１６７１による該スキャンデータの解析結果からこの時の原稿がチェックシートであるか否かを判定する（ステップＳ２０４）。
【０１４１】
ここで、原稿がチェックシートであると判定され（ステップＳ２０４ＹＥＳ）、次いで、該チェックシートの内容が正しいと判定された後（ステップＳ２１１ＹＥＳ）、更に、両面スキャンデータの修正が必要であると判定された場合（ステップＳ２２１ＹＥＳ）、編集処理部１６７２はこの時のデータ修正要否判定に用いられたチェックシート７０の各チェック項目のチェック内容に従がって、当該両面スキャンデータに対し、利用者によりチェックされたチェック項目が指示する各種の編集処理を実行し（ステップＳ２２２）、その後、該補正された両面スキャンデータに基づきチェックシートデータが更に作成され、チェックシートが印刷出力される（ステップＳ２０５〜Ｓ２０７）。
【０１４２】
これに対し、両面スキャンデータの修正が必要でないと判定された場合（ステップＳ２２１ＮＯ）、編集処理部１６７２はチェックシートデータを削除し（ステップＳ２２３）、図１３に示す両面スキャンデータの処理へと移行する。
【０１４３】
図１３に示す両面スキャンデータ処理に移行すると、編集処理部１６７２は、記憶部１３に保持しているチェックシート７０のスキャンデータからチェック項目の１つである“印刷”を指示する項目がチェックされているかどうかを調べる（ステップＳ２２１）。
【０１４４】
ここで、“印刷”を指示する項目がチェックされていないことで両面スキャンデータを印刷する必要がないと判定されると（ステップＳ２２４ＮＯ）、ステップＳ２２６に進む。
【０１４５】
また、“印刷”を指示する項目がチェックされていることにより両面スキャンデータを印刷する必要があると判定されると（ステップＳ２２４ＹＥＳ）、印刷制御部１６１は、蓄積されている両面スキャンデータに基づき画像処理部１２、画像形成部１４を制御して該両面スキャンデータを印刷出力させ（ステップＳ２２５）、ステップＳ２２６に進む。
【０１４６】
ステップＳ２２６において、編集処理部１６７２は、記憶部１３に保持しているチェックシート７０のスキャンデータからチェック項目の１つである“データ削除”を指示する項目がチェックされているかどうかを調べる。
【０１４７】
ここで、“データ削除”を指示する項目がチェックされていないことで両面スキャンデータの削除が不要と判定されると（ステップＳ２２７ＮＯ）、そのまま処理を終了し、“データ削除”を指示する項目がチェックされていることにより両面スキャンデータの削除が必要と判定されると（ステップＳ２２６ＹＥＳ）、当該両面スキャンデータを削除し（ステップＳ２２７）、その後、処理を終了する。
【０１４８】
次に、図１２に示す両面原稿の両面スキャン処理について具体的な原稿の例を挙げてより詳しく説明する。
【０１４９】
まず初めに、図１１（ａ）に示すようなポートレイトの短辺綴じ原稿を対象とする両面スキャンについて考えてみる。
【０１５０】
当該両面原稿を両面スキャンすると、記憶部１３には、図１４（ａ）に示すような画像「Ｐ１」，「Ｐ２」，「Ｐ３」，「Ｐ４」，…（但し、偶数頁の画像「Ｐ２」と「Ｐ４」は奇数頁の画像「Ｐ１」と「Ｐ３」に対して逆向き）から成る両面スキャンデータが蓄積される（図１２のステップＳ２０３参照）。
【０１５１】
この両面スキャンデータに基づき、図１２のステップ２０５〜Ｓ２０７を経て、例えば、図１５に示すチェックシート７０ａが印刷される。
【０１５２】
図１５に示すように、チェックシート７０ａは、両面スキャンデータ中の奇数頁（この例では１頁目）と偶数頁（同、２頁目）の画像データのサムネイル画像７１，７２、別の頁のサムネイル画像への変更を指示するチェックボックス７３、頁の並びの順番を逆にする（頁を入れ換える）ことを指示するチェックボックス７４、奇数頁の画像に対する、それぞれ、−９０度，１８０度，９０度での回転を指示するチェックボックス７５１，７５２，７５３、チェックボックス７５１，７５２，７５３にそれぞれ対応して設けられ、角度−９０度，１８０度，９０度での回転指示をイメージ化したサムネイル画像７６１，７６２，７６３、偶数頁の画像に対する、それぞれ、−９０度，１８０度，９０度での回転を指示するチェックボックス７７１，７７２，７７３、チェックボックス７７１，７７２，７７３にそれぞれ対応して設けられ、角度−９０度，１８０度，９０度での回転指示をイメージ化したサムネイル画像７８１，７８２，７８３、データの修正（変更）を指示するチェックボックス８１、データの修正が不要（変更なし）であることを指示するチェックボックス８２、データの印刷を指示するチェックボックス８３、データの削除を指示するチェックボックス８４、画像処理装置１０Ｂ内に蓄積された両面原稿スキャンデータを識別するファイルコード等の情報が印刷されて構成される。
【０１５３】
このチェックシート７０ａによれば、偶数頁（２頁目）のサムネイル画像「Ｐ２」が利用者が望む向きの逆の向きとなっており、これに気付いた利用者は、該偶数頁のサムネイル画像「Ｐ２」を１８０度回転させようとする時には、例えば、図１６に示すように、偶数頁の画像〔サムネイル画像「Ｐ２」〕に対する回転を指示するチェックボックス７７１，７７２，７７３中の、１８０度での回転指示をイメージ化したチェックボックス７７２をチェックし〔チェックマーク（“レ”点）を入れる：実行を指示する印を印す〕、かつ、データの変更を指示するチェックボックス８１をチェックする。
【０１５４】
このチェック済みのチェックシート７０ａ（図１６参照）を画像処理装置１０Ｂに読込ませると、図１２のステップＳ２２１で、チェックシート７０ａ上でのチェックボックス７７２とチェックボックス８１がチェックされていることが解析されて修正が必要と判断され、同、ステップＳ２２２では、編集処理部１６７２は、チェックボックス７７２がチェックされた項目であるという解析結果から偶数頁を１８０度回転する指示であることを認識し、読込んだチェックシート７０ａのスキャンデータから解析されるファイルコードによって識別される両面スキャンデータを記憶部１３から読出し、該両面スキャンデータ中の偶数頁の画像データを１８０度回転させて、再蓄積する。
【０１５５】
この偶数頁のデータの回転補正によって、図１１（ａ）に示すポートレイトの短辺綴じ原稿を対象とする両面スキャンデータは、図１４（ａ）に示すデータ内容から、図１４（ｂ）に示すように、偶数頁がそれぞれ１８０度回転され、全ての頁の天地が一致したデータ内容に補正される。
【０１５６】
図１２のステップＳ２２２で上述した両面スキャンデータの該当頁の画像の回転補正処理が実施された後、同、ステップＳ２０６で該補正後の両面スキャンデータ（偶数頁の画像が１８０度回転補正されている）に基づきチェックシートデータが生成される結果、同ステップＳ２０７で該チェックシートデータに基づき印刷されたチェックシート７０ａは図１７に示す如くの印刷内容となる。
【０１５７】
ここで利用者が、当該チェックシート７０ａ上で、“変更なし”を指示するチェックボックス８２にチェックを入れて該チェックシート７０ａを読込ませた場合、画像処理装置１０Ｂでは、編集処理部１６７２が、該チェックシート７０のスキャンデータから利用者によりチェックされたチェック項目として“変更なし”を指示するチェックボックス８２が抽出して、次のチェックシートデータの生成を禁止するように制御し、当該データ内容のままで両面スキャンデータが蓄積される。
【０１５８】
また、上記チェックシート７０ａ上で、“変更なし”を指示するチェックボックス８２と共に、印刷を指示するチェックボックス８３に併せチェックしている場合には、編集処理部１６７２は、該チェックシート７０のスキャンデータから利用者によりチェックされたチェック項目として印刷を指示するチェックボックス８３を更に抽出し、これにより、印刷制御部１６１が、当該スキャンデータから抽出されたファイルコードで識別される両面スキャンデータを当該データ内容で両面印刷（図１３のステップＳ２２５参照）する。
【０１５９】
なお、上記チェックシート７０ａ上で、サムネイル画像変更を指示するチェックボックス７３がチェックされている場合には、編集処理部１６７２により、該チェックシート７０ａのスキャンデータから利用者によりチェックされたチェック項目としてチェックボックス７３が抽出され、チェックシート作成部１６６では、両面スキャンデータ中の前回生成したチェックッシートに含まれる頁とは異なる頁（例えば、３頁目と４頁目）のサムネイル画像を含むチェックシートデータを生成する。
【０１６０】
また、上記チェックシート７０ａ上で、頁入れ換えを指示するチェックボックス７４がチェックされている場合には、編集処理部１６７２により、該チェックシート７０ａのスキャンデータから利用者によりチェックされたチェック項目としてチェックボックス７４が抽出され、チェックシート作成部１６６では、両面スキャンデータ中の前回生成したチェックッシートに含まれる、例えば、１頁目と２頁目の順番を逆にし、左側に２頁目のサムネイル画像が、右側に１頁目のサムネイル画像が配置されたチェックシートデータを生成する。
【０１６１】
次に、図１１（ｂ）に示すようなランドスケープの長辺綴じ原稿を対象とする両面スキャンについて考えてみる。
【０１６２】
当該両面原稿を両面スキャンすると、記憶部１３には、図１８（ａ）に示すような画像「Ｐ１」，「Ｐ２」，「Ｐ３」，「Ｐ４」，…（但し、偶数頁の画像「Ｐ２」と「Ｐ４」は奇数頁の画像「Ｐ１」と「Ｐ３」に対して逆向き）から成る両面スキャンデータが蓄積される（図１２のステップＳ２０３参照）。
【０１６３】
この両面スキャンデータに基づき、図１２のステップ２０５〜Ｓ２０７を経て、例えば、図１９に示すチェックシート７０ｂ（図１５に示したチェックシート７０ａと同等の部分には同一の符号を付している）が印刷される。
【０１６４】
このチェックシート７０ｂにおいても、偶数頁（２頁目）のサムネイル画像「Ｐ２」が利用者が望む向きの逆の向きとなっており、これに気付いた利用者は、例えば、図２０に示すように、偶数頁の画像〔サムネイル画像「Ｐ２」〕に対する回転指示をイメージ化したチェックボックス７７２をチェックし、かつ、データの変更を指示するチェックボックス８１をチェックする。
【０１６５】
このチェック済みのチェックシート７０ｂ（図２０参照）を画像処理装置１０Ｂに読込ませると、図１２のステップＳ２２１で、チェックシート７０ｂ上でのチェックボックス７７２とチェックボックス８１がチェックされていることが解析されて修正が必要と判断され、同、ステップＳ２２２では、編集処理部１６７２は、チェックボックス７７２がチェックされた項目であるという解析結果から偶数頁を１８０度回転する指示であることを認識し、読込んだチェックシート７０ｂのスキャンデータから解析されるファイルコードによって識別される両面スキャンデータ中の偶数頁の画像データを１８０度回転させて、再蓄積する。
【０１６６】
この偶数頁のデータの回転補正によって、図１１（ｂａ）に示すランドスケープの長辺綴じ原稿を対象とする両面スキャンデータは、図１８（ａ）に示すデータ内容から、図１８（ｂ）に示すように、偶数頁がそれぞれ１８０度回転され、全ての頁の天地が一致したデータ内容に補正される。
【０１６７】
その後、図１２のステップＳ２０６で該補正後の両面スキャンデータに基づきチェックシートデータが生成され、同ステップＳ２０７で該チェックシートデータに基づき図２１に示す内容のチェックシート７０ｂが出力される。
【０１６８】
ここで利用者は、該チェックシート７０ｂ上で、“変更なし”を指示するチェックボックス８２にチェックを入れて該チェックシート７０ｂを読込ませれば、当該データ内容のままで両面スキャンデータが蓄積され、その際、印刷を指示するチェックボックス８３とデータ削除を指示するチェックボックス８４にも併せチェックしている場合には、当該データ内容で両面印刷を行ない（図１３のステップＳ２２５参照）、その後、該両面スキャンデータを削除する（同、ステップＳ２２７参照）ことができる。
【０１６９】
なお、図１２のステップＳ２００〜Ｓ２０２では、ポートレイトの短辺綴じ原稿や、ランドスケープの長辺綴じ原稿を見開き頁から逐次スキャンする場合について述べたが、当該見開き頁から両面スキャンして印刷された両面原稿をＤＡＤＦにセットして一括で両面スキャンする場合にも適用できる。
【０１７０】
また、画像処理装置１０Ｂの記憶部１３内に蓄積される両面スキャンデータをそのまま印刷する例を挙げたが、通信Ｉ／Ｆ部１７によりＮＷを介してＰＣ等の各装置と接続可能な本システム構成を活用し、利用者が、ＮＷを経由してファイルとして自分のＰＣにダウンロードするようにしても良い。
【０１７１】
この他、本発明は、上記し、且つ図面に示す実施例に限定することなく、その要旨を変更しない範囲内で適宜変形して実施できるものである。
【０１７２】
例えば、上記各実施例では、コンピュータで構成される複合機やスキャナ装置等の画像処理装置１０に画像処理プログラムを実装し、該コンピュータを、それぞれの手段として機能させるようにしているが、該画像処理プログラムをＣＤＲＯＭ等の記憶媒体に格納して提供するようにしても良い。
【産業上の利用可能性】
【０１７３】
本発明は、自動両面紙送り装置を備えて両面原稿を両面スキャンするスキャナ装置、プリンタ、複合機等の画像処理装置、及び画像処理プログラムに適用できる。
【符号の説明】
【０１７４】
１０，１０Ｂ…画像処理装置、１１…読取部、１２…画像処理部、１３…記憶部、１４…画像形成部、１５…表示／操作部、１６…制御部、１６１…印刷制御部、１６２…読取制御部、１６３…指示書解析部、１６３１…指示書マーク検出部、１６３２…原稿向きマーク検出部、１６４…原稿編集部、１６４１…頁順序変更処理部、１６４２…画像方向補正部、１６５…ファイルコード作成部、１６６…チェックシート作成部、１６７…原稿編集部、１６７１…チェックシート解析部、１６７２…編集処理部、１７…通信インタフェース（Ｉ／Ｆ）部
【図１】
2011082664.tif 000003
【図２】
2011082664.tif 000004
【図３】
2011082664.tif 000005
【図４】
2011082664.tif 000006
【図５】
2011082664.tif 000007
【図６】
2011082664.tif 000008
【図７】
2011082664.tif 000009
【図８】
2011082664.tif 000010
【図９】
2011082664.tif 000011
【図１０】
2011082664.tif 000012
【図１１】
2011082664.tif 000013
【図１２】
2011082664.tif 000014
【図１３】
2011082664.tif 000015
【図１４】
2011082664.tif 000016
【図１５】
2011082664.tif 000017
【図１６】
2011082664.tif 000018
【図１７】
2011082664.tif 000019
【図１８】
2011082664.tif 000020
【図１９】
2011082664.tif 000021
【図２０】
2011082664.tif 000022
【図２１】
2011082664.tif 000023